(57)【要約】【課題】カメラの自然なステレオ音声の記録を可能とすることを目的とする。さらには、グリップベルトを用いたカメラの保持状態に応じてステレオマイクの向きが変わるようにし、撮影者の負担を増加させることなく自然なステレオ音声記録を可能とする【解決手段】取付部材２が矢印Ａの方向に移動すると、ギアＢは矢印Ｂの方向へ回転し、さらにギアＣが矢印Ｃの方向へ回転する。ギアＣとマイクベース６は一体で可動するようになっている為、マイクべース６及びマイクユニット９も矢印Ｃの方向へ移動する。したがって、ベルト部１及び取付部材２の回転によって、マイクユニット９を構成する第１及び第２のマイク部の配置方向が変化する。【選択図】  図１
2005204236.tif 000002
【特許請求の範囲】
【請求項１】
撮影装置本体と、
該本体に設けられ、第１のマイク部と第２のマイク部とを備えたステレオマイクと、
前記第１及び第２のマイク部のうち少なくとも一方を、前記本体に対する前記第１及び第２のマイク部の配置方向を変更可能に保持する保持手段とを有することを特徴とする撮影装置。
【請求項２】
前記保持手段は、前記第１及び第２のマイク部の双方を前記本体に対して一体的に回転させることを特徴とする請求項１に記載の撮影装置。
【請求項３】
前記保持手段は、前記第１及び第２のマイク部のうち前記本体に固定された一方のマイク部に対して他方のマイク部を回動させることを特徴とする請求項１に記載の撮影装置。
【請求項４】
該本体にグリップベルトが回転可能に取り付けられており、前記グリップベルトの回転が前記保持手段に伝えられることにより、前記配置方向が変更されることを特徴とする請求項１から３のいずれか１つに記載の撮影装置。
【請求項５】
前記グリップベルトの回転を前記保持手段に伝達する伝達機構を有することを特徴とする請求項４に記載の撮影装置。
【請求項６】
前記グリップベルトは、ベルト部と該ベルト部が連結されて前記本体に対して回転可能に取り付けられた取付部材とを有し、前記第１及び第２のマイク部のうち少なくとも一方が前記保持手段としての前記取付部材に設けられていることを特徴とする請求項４または５に記載の撮影装置。
【発明の詳細な説明】
【技術分野】
【０００１】
本発明は、ステレオマイクを有する撮影装置に関する。
【背景技術】
【０００２】
一般的に、ビデオカメラ等の撮影装置は、映像記録と同時に音声を録音するステレオマイクが備えられている（特許文献１参照）。
【０００３】
図１０はビデオカメラの最も一般的な構造を示す図であり、１０１はレンズユニット、１０２はカメラ部、１０３はレコーダー部、１０４は接眼モニター部、１０５はステレオマイク部である。この他に不図示の回路基板、バッテリー、パネルタイプの映像モニター、操作キー、グリップベルトなどから構成されている。
【０００４】
また、図１４は上記ビデオカメラの内部構成の概略ブロック図を示しており、レンズ群２０１、撮像素子２０２、カメラ信号処理部２０３、モニター２０４、レコーダー２０５、制御用マイクロコンピュータ（以下、制御マイコンという）２０６、操作パネル２０７を備える。
【０００５】
このように構成されるビデオカメラ等の撮影装置では、被写体像がレンズ群２０１を介して撮像素子２０２の受光面上に結像され、この撮像素子２０２が被写体像に応じた電気信号を出力し、カメラ信号処理部２０３に入力する。そして、カメラ信号処理部２０３において該電気信号が所定形態の映像信号に変換され、この映像信号がレコーダー２０５、モニター２０４に入力される。レコーダー２０５は、入力された映像信号を、磁気テープまたはメモリなどからなる記録媒体へ記録する。また、モニター２０４には、映像信号が可視像として表示される。
【０００６】
撮影者においては、モニター２０４で撮影する像を確認しつつ操作パネル２０７を操作する。この操作パネル２０７の操作内容を示すデータは、制御マイコン２０６により具体的な処理内容を示すコマンドにブレークダウンされた後、装置各部に供給される。レコーダー２０５へは、少なくとも、記録開始、記録終了の指示が行われ、これを受けてレコーダー２０５は前述の映像信号の記録を行う。なお、図１０中のレコーダー２０５、モニター２０４はそれぞれ図６のレコーダー部１０３、接眼モニター部１０４に含まれる。
【０００７】
次に、従来の撮影状態を説明する。図１１は従来のビデオカメラの撮影時の状態を説明する為の図であり、図１１（ａ）は横長画面位置での撮影の状態を示す図であり、図１１（Ｂ）は縦長画面位置での撮影状態を示す図である。図中の１１１はレンズ、１１２はグリップベルト、１１３はグリップベルト取付部、１１４はステレオマイクである。
【０００８】
図１２は、記録時における映像の方向と音声の方向を表しており、図１２（ａ）は図１１（ａ）の撮影状態、図１２（ｂ）は図１１（ｂ）の撮影状態での方向に該当する。
【０００９】
図１３は再生時における映像の方向と音声の方向を表しており、１５１はモニター、１５２はＲスピーカー、１５３はＬスピーカーである。
【００１０】
図１１（ａ）、図１２（ａ）に示すように、横長画面撮影状態ではステレオマイクの左右方向が該横長画面の左右方向と一致した（Ｒが右、Ｌが左）ステレオ音が記録される。よって、図１３（ａ）のように、映像再生時において横長画面方向の映像に対し、該横長画面方向に一致した左右方向のステレオ音声が再生される。
【特許文献１】特開２０００−１５２０４９号公報
【発明の開示】
【発明が解決しようとする課題】
【００１１】
しかしながら、図１１（ｂ）、図１２（ｂ）に示すような縦長画面の撮影状態ではステレオマイクの集音方向が上下方向（Ｒが上、Ｌが下）となり、該縦長画面における左右方向とステレオマイクの集音方向とが不一致の状態でステレオ音声が記録されることになる。すなわち、図１２（ｂ）のように、縦長画面位置での撮影映像を再生している状態では、Ｒスピーカー１５２からは画面上方の音、Ｌスピーカー１５３からは画面下方の音が再生され、映像の方向とステレオ音声の方向が一致しない状態となり、不自然な音声付きの再生が行われてしまうことになる。
【００１２】
本発明は、カメラの自然なステレオ音声の記録を可能とすることを目的とする。
【００１３】
また、本発明は、グリップベルトを用いたカメラの保持状態に応じてステレオマイクの向きが変わるようにし、撮影者の負担を増加させることなく自然なステレオ音声記録を可能とすることを目的とする。
【課題を解決するための手段】
【００１４】
上記目的を達成する為に、本願発明の撮影装置は、撮影装置本体と、該本体に設けられ、第１のマイク部と第２のマイク部とを備えたステレオマイクと、第１及び第２のマイク部のうち少なくとも一方を、本体に対する第１及び第２のマイク部の配置方向を変更可能に保持する保持手段とを有することを特徴とする。
【発明の効果】
【００１５】
本発明によれば、第１及び第２のマイク部の該本体に対する配置方向と撮影画面の左右方向とが一致するようにステレオマイクを回転させることができる。よって、撮影時における撮影画面の方向に一致した集音（音声記録）が可能となり、画像（映像）の再生時における自然な音声出力が実現する。
【００１６】
特に、縦長画面の撮影状態において、第１及び第２のマイク部の配置方向（ステレオマイクの集音方向）を縦長画面の左右方向に一致させることが可能となることから、縦長画面の撮影状態でも自然なステレオ音声が記録可能な撮影装置を実現できる。なお、第１及び第２のマイク部の双方を該本体に対して一体的に回転させるように保持手段を構成しても良く、また、第１及び第２のマイク部のうち該本体に一方のマイク部を固定し、該一方のマイク部に対して他方のマイク部を回動させるように保持手段を構成してもよい。
【００１７】
また、該本体に回転可能に取り付けられるグリップベルトの回転を保持手段に伝えて、第１及び第２のマイク部の該本体に対する配置方向を変更するように構成することで、撮影状態に対応するグリップベルトの回転に応じて第１及び第２のマイク部の配置方向が配置方向を変更する操作をすることなく行われ、撮影者の負担を軽減する事が可能となる。
【００１８】
また、グリップベルトの回転を保持手段に伝達する伝達機構を有することから、例えば、ステレオマイクから離れた位置にグリップベルトの回転中心を設定することもできる。よって、ステレオマイクとグリップベルトの設置場所の制限が少なくなり、デザインの自由度が上がる。
【００１９】
また、グリップベルトはベルト部と該ベルト部が連結されて前記本体に対して回転可能に取り付けられる取付部材とを有し、第１及び第２のマイク部のうち少なくとも一方が保持部材としての取付部材に設けられる構成により、専用の保持手段を設ける必要がない。したがって、構成の簡素化、部品点数の削減、さらには、装置の小型化を図ることができる。
【発明を実施するための最良の形態】
【００２０】
以下に本発明の実施例について説明する。
【実施例１】
【００２１】
以下に、本発明に係る第１の実施形態を図１から図５に基づいて以下に説明する。
【００２２】
図３及び図４は、撮影時のビデオカメラの状態を示した全体図であり、図３（ａ）は横長画面の撮影時、図４は縦長画面の撮影時を示している。
【００２３】
図１は上記図３（ａ）、図２（ａ）は上記図４に対応した本発明に係るビデオカメラのステレオマイク部付近の拡大図であり、図２（ｂ）は、図２（ａ）におけるＸ−Ｘ断面図である。
【００２４】
１はグリップベルトのベルト部、２は撮影装置本体に対して回転可能に取付けられているとともにグリップベルトのベルト部１が連結された取付部材、３はギアＡ、４はギアＢ、５はギアＣである。６はマイクベース、７はギアベース、８はマイクゴム、９はマイクユニット、１０は接続ケーブル、１１はマイクユニット９を保護するための金網、１２はカメラ本体ケースである。
【００２５】
ステレオマイクは、マイクユニット９を構成する第１のマイク部９Ｒ及び第２のマイク部９Ｌ（９Ｒは右方向、９Ｌは左方向）で構成される。該第１及び第２のマイク部９Ｒ、９Ｌの周囲にはマイク２２を振動等から保護するマイクゴム８が設けられ、マイク部９Ｒ、９Ｌからは接続ケーブル１０が伸び、不示図の記録部等へ音声データを導いている。なお、マイク部９Ｒ、９Ｌは各々１つのマイクで構成しているが、複数のマイクで構成しても良く、例えば、複数のマイクで構成されるマイク部を一対（第１及び第２のマイク部）設けることで、ステレオ音声での記録可能なステレオマイクを構成してもよい。
【００２６】
また、本実施例では、該第１及び第２のマイク部９Ｒ、９Ｌをカメラ本体ケース１２に対して回転可能に保持するマイクベース６が保持手段として機能している。マイクベース６は、回転可能にカメラ本体ケース１２に取付けられている。回転させることで第１及び第２のマイク部９Ｒ、９Ｌのカメラ本体ケース１２に対する配置方向を変更することができる。
【００２７】
また、グリップベルトの取付部材２とステレオマイクのマイクベース６との間には、グリップベルトの回転を保持機構（マイクベース６）に伝達する伝達機構として、ギアＡ（３）、ギアＢ（４）、ギアＣ（５）が配置されている。ギアＡはグリップベルトの取付部材２と一体に可動するように設けられ、ギアＣはマイクベース６に一体的に形成されている。そして、このギアＡ及びギアＣの間に係合するようにギアＢが配置されている。
【００２８】
次に、カメラ本体ケース１２に対するグリップベルトの位置（回転）に応じ、第１及び第２のマイク部９Ｒ、９Ｌのカメラ本体ケース１２に対する配置方向が変更する動作について説明する。
【００２９】
図３（ａ）における横長画面の撮影状態から図４の縦長画面の撮影状態で撮影を行う場合、図１に示すように、グリップベルトのベルト部１及び取付部材２が矢印Ａ方向に移動する。すると、取付部材２と一体に可動するギアＡが回動するため、ギアＢが矢印Ｂ方向に回転し、さらにギアＣが矢印Ｃの方向へ回転する。ギアＣとマイクベース６は一体的に形成されて可動するようになっているため、マイクベース６も自動的に矢印Ｃの方向へ移動し、図２（ａ）の状態になる。このように、ベルト部１及び取付部材２の位置によって、マイクベース６が回転し、保持機構であるマイクベース６に保持されている第１及び第２のマイク部９Ｒ、９Ｌの配置方向が変化する構造になっている。
【００３０】
したがって、図５（ａ）に示すように、横長画面の撮影状態では、撮影画面の右方向がステレオマイクの第１のマイク部９Ｒと、撮影画面の左方向が第２のマイク部９Ｌと一致し、横長撮影の画面方向とステレオマイクの集音方向とが一致する。
【００３１】
他方、図５（ｂ）に示すように、縦長画面の撮影状態では、上記グリップベルトの位置が変更されると、ベルト部１及び取付部材２の回転が伝達機構を介して保持機構に伝達されてマイクベース６が回転するので、縦長画面の右方向とステレオマイクの第１のマイク部９Ｒと、縦長撮影画面の左方向と第２のマイク部９Ｌとが一致する。
【００３２】
よって、上述の従来例のように、縦長画面においてステレオマイクの第１及び第２のマイク部が上下方向に位置することなく、撮影画面の左右方向とステレオマイクの集音方向が常に一致することになる。
【００３３】
また、ギアを介在させることでステレオマイクはＰ１を中心として、グリップベルトの取付部材２はＰ１から離れたＰ２を中心として回転することができる。したがって、カメラ本体ケース１２に対する取付部材２の取付位置に関係なくステレオマイクを任意の位置に配置することができる。例えば、伝達機構のギアＢをギアＢ１、Ｂ２、Ｂ３、・・・と複数で構成してギアの個数を増やしたり、各々のギア径を大きくすることで、Ｐ１−Ｐ２間の距離を長く又は短くと任意に設定できる。よって、デザインの自由度が上がる。
【実施例２】
【００３４】
次に、本発明に係る第２の実施形態を図６及び図７に基づいて以下に説明する。本実施例は、上述の実施例１の伝達機構を設けずに、ステレオマイクの第１及び第２のマイク部の配置方向を変更する実施形態である。
【００３５】
図６は本発明の第２の実施形態に係るビデオカメラのマイク部付近の拡大図であり、図７（ａ）、（ｂ）は図６（ａ）に、図７（ｃ）は図６（ｂ）に各々対応している。
【００３６】
２１はグリップベルトの取付部材、２２はマイクベース、２３はマイクゴム、２４はマイクユニット、２５は接続ケーブル、２６はマイクユニット２４を保護するための金網、２７はカメラ本体ケースである。
【００３７】
上述の実施例１と同様に、ステレオマイクは、マイクユニット２４を構成する第１のマイク部２４Ｒ及び第２のマイク部２４Ｌ（２４Ｒは右方向、２４Ｌは左方向）で構成される。該第１及び第２のマイク部２４Ｒ、２４Ｌの周囲には振動等から保護するためのマイクゴム２３が設けられ、マイク部２４Ｒ、２４Ｌからは接続ケーブル２５が伸び、不示図の記録部等へ音声データを導いている。
【００３８】
本実施例における保持手段も上述の実施例１同様にマイクベース２２が保持機構として機能し、マイクベース２２は、カメラ本体ケース２７から着脱することなく回転可能にカメラ本体ケース２７に取付けられている。回転させることで第１及び第２のマイク部２４Ｒ、２４Ｌのカメラ本体ケース１２に対する配置方向を変更することができる。
【００３９】
また、上述のように本実施例では、伝達機構を設けずにグリップベルトの取付部材２１を直接にマイクベース２２に取付けている。取付部材２１はマイクベース２２の周囲の一部又は全部を取り囲むように係合し、カメラ本体ケース２７とマイクベース２２との間に設けられている。よって、取付部２１、マイクベース２２、マイクゴム２３、マイクユニット２４、金網２６は一体に回転することができる。
【００４０】
次に、カメラ本体ケース２７に対するグリップベルトの位置（回転）に応じ、第１及び第２のマイク部のカメラ本体ケースに対する配置方向の変更に係る動作について説明する。
【００４１】
図６（ａ）（図７（ａ））における横長画面の撮影状態から図６（ｂ）（図７（ｂ））の縦長画面の撮影状態で撮影を行う場合、図６（ａ）に示すように、グリップベルトのベルト部１及び取付部材２１が矢印Ａ１方向に移動する。すると、取付部材２１と一体に回転可能となっているマイクベース２２が回転するため、マイクベース２２が自動的に矢印Ｃ１の方向へ回転し、図６（ｂ）の状態になり、取付部材２１の位置によって、マイクユニット２４、即ち、第１及び第２のマイク部２４Ｒ、２４Ｌの配置方向が変化して、撮影画面に対して常に適正な集音方向にステレオマイクが向くことになる。
【実施例３】
【００４２】
次に、本発明に係る第３の実施形態を図８及び図９に基づいて以下に説明する。本実施例は、第１及び第２のマイク部の一方がカメラ本体ケースに固定され、該一方に対して他方のマイク部を回転させる保持機構を有する実施形態である。
【００４３】
図８は本発明の第３の実施形態に係るビデオカメラのマイク部付近の拡大図であり、図９（ａ）は図８（ａ）に、図９（ｂ）は図８（ｂ）に各々対応している。
【００４４】
３１は第１のマイク部であるマイクユニット（Ｌ側）、３２は第２のマイク部であるマイクユニット（Ｒ側）、３３はグリップベルトの取付部材、３４は案内溝、３５はマイクゴム、３６は金網、３７は接続ケーブル、３８はカメラ本体ケース、３９はマイクベースである。
【００４５】
図に示すようにＬ側（左方向）のマイクユニット３１はカメラ本体ケース３８に固定されており、Ｒ側（右方向）のマイクユニット３２は、上述と実施例同様に保持機構であるマイクベース３９に設けられ、マイクベース３９が案内溝３４に沿って回動するように取付けられている。
【００４６】
また、本実施例では、グリップベルトの取付部材３３に、第１及び第２のマイク部のうち少なくとも一方のマイクである第２のマイク部３２がマイクベース３９とともに一体に設けられている構成となっている。なお、取付部材３３と第２のマイク部３２と一体を設けているが、上述の実施例１のように伝達機構を構成であっても、第１及び第２のマイク部の少なくとも一方を他方に対して回転させる構成を適用でき、上述の実施例２においても同様である。
【００４７】
このような構成により本実施例は、図８（ａ）（図９（ａ））における横長画面の撮影状態から図８（ｂ）（図９（ｂ））の縦長画面の撮影状態で撮影を行う場合、図８（ａ）に示すように、グリップベルトのベルト部１及び取付部材３３が矢印Ａ２方向に移動する。すると、取付部材３３と一体に回転可能となっているマイクベース３９が回転するように、案内溝３４に沿って移動し、図８（ｂ）の状態になり、取付部材３３の位置によって、マイクユニット３２のみが移動し、第１のマイク部３１、第２のマイク部３２の配置方向が変化する。
【００４８】
したがって、保持手段の簡略化が図れ、部品点数の低減、組立作業等が軽減される。さらに、この場合は上記のように双方を一体的に回転させるのではなく、一方のみを回転させ、かつ、第１及び第２のマイク部のうち少なくとも一方を保持機構としてのマイクベース３９とともに取付部材３３に設けて該配置方向を変更する構成であるため、専用の保持機構を設ける必要がない。したがって、構成の簡素化、部品点数の削減、さらには、装置の小型化を図ることができる。
【図面の簡単な説明】
【００４９】
【図１】本発明に係る第１の実施形態のビデオカメラのマイク部付近の正面図である。
【図２】本発明に係る第１の実施形態のビデオカメラのマイク部付近の図であり、（ａ）は正面図、（ｂ）は（ａ）におけるＸ−Ｘ断面図である。
【図３】図１に対応する第１の実施形態の撮影時の状態を示す図である。
【図４】図２に対応する第１の実施形態の撮影時の状態を示す図である。
【図５】本発明に係る第１の実施形態の撮影画面の方向とステレオマイクの方向を示す図である。
【図６】本発明に係る第２の実施形態のビデオカメラのマイク部付近の図であり、（ａ）、（ｂ）は正面図、（ｃ）は（ｂ）におけるＸ１−Ｘ１断面図である。
【図７】図６に対応する第２の実施形態の撮影時の状態を示す図である。
【図８】本発明に係る第３の実施形態のビデオカメラのマイク部付近の図であり、（ａ）、（ｂ）は正面図、（ｃ）は（ｂ）におけるＸ２−Ｘ２断面図である。
【図９】図８に対応する第３の実施形態の撮影時の状態を示す図である。
【図１０】従来のビデオカメラの内部構成の概略図である。
【図１１】従来のビデオカメラの撮影時の状態を示す図である。
【図１２】従来のビデオカメラの記録時における映像の方向と音声の方向を示す図である。
【図１３】従来のビデオカメラにおける再生時の映像の方向と音声の方向を示す図である。
【図１４】従来のビデオカメラの内部構成の概略ブロック図である。
【符号の説明】
【００５０】
１        ベルト部
２        取付部材
３        ギアＡ
４        ギアＢ
５        ギアＣ
６        マイクベース
７        ギアベース
８        マイクゴム
９        マイクユニット（９Ｒは右方向、９Ｌは左方向）
１０      接続ケーブル
１１      金網
１２      カメラ本体ケース
２１      取付部材
２２      マイクベース
２３      マイクゴム
２４      マイクユニット
２５      接続ケーブル
２６      金網
２７      カメラ本体ケース
３１      マイクユニット（Ｌ側）
３２      マイクユニット（Ｒ側）
３３      取付部材
３４      案内溝
３５      マイクゴム
３６      金網
３７      接続ケーブル
３８      カメラ本体ケース
１０１    レンズユニット
１０２    カメラ部
１０３    レコーダー部
１０４    接眼モニター部
１１１    レンズ
１１２    グリップベルト
１１３    グリップベルト取付部
１１４    ステレオマイク
１５１    モニター
１５２    Ｒスピーカー
１５３    Ｌスピーカー
２０１    レンズ郡
２０２    撮像素子
２０３    カメラ信号処理回路
２０４    モニター
２０５    レコーダー
２０６    マイコン
２０７    操作パネル
【図１】
2005204236.tif 000003
【図２】
2005204236.tif 000004
【図３】
2005204236.tif 000005
【図４】
2005204236.tif 000006
【図５】
2005204236.tif 000007
【図６】
2005204236.tif 000008
【図７】
2005204236.tif 000009
【図８】
2005204236.tif 000010
【図９】
2005204236.tif 000011
【図１０】
2005204236.tif 000012
【図１１】
2005204236.tif 000013
【図１２】
2005204236.tif 000014
【図１３】
2005204236.tif 000015
【図１４】
2005204236.tif 000016